(57)【要約】【課題】  簡単に手から外れることなく、通気性及び装着性に優れた衛生的な手指装着具を提供する。【解決手段】  手指装着具１０は、略直方体の握り部１２と、その表面１２Ａに設けられた指通し２０により構成されている。握り部１２の長さＬは、利用者３０の手の幅とほぼ同等になるように、幅Ｗと厚みＴは、利用者３０が握り部１２を無理なく握ることができる寸法に設定されている。また、前記指通し２０には、利用者３０の中指３２と薬指３４を通すための２つの通し穴２４，２６が形成されている。該指通し２０は、前記握り部１２の表面１２Ａの一方の長辺側に寄った位置に設けられており、装着の際に握り部１２が手の平３６側に丁度納まるようになる。更に、前記握り部１２の表面１２Ａ及び裏面１２Ｂには、握ったときの通気性を確保し、手の平３６の蒸れを防止するための溝１４，１６が形成されている。【選択図】図１
2006006520.tif 000002
【特許請求の範囲】
【請求項１】
長手方向の長さが手の幅とほぼ同等であり、手の平で握ることができる握り体，
該握り体の表面に長手方向に沿って設けられており、中指を含む複数の手指を通すための通し部を有する指通し，
前記握り体の表面に少なくとも一つ以上設けられた溝ないし凹部，
を備えたことを特徴とする手指装着具。
【請求項２】
前記握り体が、略長方形かつ略平行な２つの主面を有する形状であるときに、
前記指通しが、前記主面のいずれか一方の長辺寄りに設けられていることを特徴とする請求項１記載の手指装着具。
【請求項３】
前記握り体の大きさを調整可能としたことを特徴とする請求項１又は２記載の手指装着具。
【請求項４】
前記指通しの通し部の大きさを調整可能としたことを特徴とする請求項１〜３のいずれかに記載の手指装着具。
【請求項５】
前記握り体が、弾性を有することを特徴とする請求項１〜４のいずれかに記載の手指装着具。
【請求項６】
前記握り体に、該握り体を握った回数を計数する計数手段を設けたことを特徴とする請求項５記載の手指装着具。
【請求項７】
前記握り体が、抗菌，防臭，殺菌，除菌，防腐の少なくともいずれかの機能または芳香性を有していることを特徴とする請求項１〜６のいずれかに記載の手指装着具。
【発明の詳細な説明】
【技術分野】
【０００１】
本発明は、手指に装着する手指装着具に関し、更に具体的には、通気性及び装着性の向上に関するものである。
【背景技術】
【０００２】
病院，養護施設，家庭内などにおいて、手指が自由に動かせない状態にある患者や高齢者，特に重度の痴呆症の患者などは、手を握り締めたままの状態を続けることがある。この状態を続けると、手の平にかいた汗が乾燥しないことから、あせもになったり雑菌が繁殖して臭気を発生したりと、衛生的な状態を保てなくなる。このような手の平の蒸れを防止するために、例えば、以下に示す特許文献１には、疎巻コイルを利用して、その接触面の通気性と内径の通風性を生かし、長時間装着しても手の平が蒸れないようにした握り管が開示されている。また、以下の特許文献２には、パイプ形状の壁に、通気穴をあけ、パイプ形状の内径部に脱脂綿や活性炭などの除湿，殺菌，消臭効果などのあるものを入れ、更に、親指を立てた状態で握ることによって、手の平の衛生を保持し、同時にリハビリ効果も得ることを目的とした介護用手のひらリハビリドライクリーナーが開示されている。
【特許文献１】特開２００２−２０４８０６公報
【特許文献２】実用新案登録第３０７７５４４号公報
【発明の開示】
【発明が解決しようとする課題】
【０００３】
しかしながら、以上のような背景技術には次のような不都合がある。まず、前記特許文献１に記載の技術では、疎巻コイルの握り部分の両端を大きくすることによって握り管が外れにくくなる工夫をしているが、握る力が弱まったときには簡単に外れてしまい、紛失してしまう恐れがある。また、前記特許文献１及び２に記載の技術のいずれも、表面をガーゼや布で覆ったり、内側に脱脂綿を詰めたりすることから、定期的な取替が必要になるため、利用者または該利用者の介護者に負担がかかる。更に、握り部分が中空となっており、強度や耐久性が不十分であるほか、介護用にしか利用することができないという不都合がある。
【０００４】
本発明は、以上の点に着目したもので、その目的は、簡単に手から外れることなく、通気性に優れた衛生的な手指装着具を提供することである。他の目的は、手の平の蒸れ防止のみならず、他の用途にも適用可能な手指装着具を提供することである。
【課題を解決するための手段】
【０００５】
前記目的を達成するため、本発明は、長手方向の長さが手の幅とほぼ同等であり、手の平で握ることができる握り体，該握り体の表面に長手方向に沿って設けられており、中指を含む複数の手指を通すための通し部を有する指通し，前記握り体の表面に少なくとも一つ以上設けられた溝ないし凹部，を備えたことを特徴とする。主要な形態の一つは、前記握り体が、略長方形かつ略平行な２つの主面を有する形状であるときに、前記指通しが、前記主面のいずれか一方の長辺寄りに設けられていることを特徴とする。
【０００６】
他の形態は、前記握り体の大きさを調整可能としたことを特徴とする。更に他の形態は、(1)前記指通しの通し部の大きさを調整可能としたこと，(2)前記握り体が、弾性を有すること，(3)前記握り体に、該握り体を握った回数を計数する計数手段を設けたこと，(4)前記握り体が、抗菌，防臭，殺菌，除菌，防腐の少なくともいずれかの機能または芳香性を有していることを特徴とする。本発明の前記及び他の目的，特徴，利点は、以下の詳細な説明及び添付図面から明瞭になろう。
【発明の効果】
【０００７】
本発明は、手の幅とほぼ同等の長さの握り体の表面に、長手方向に沿って中指を含む複数の手指を通すための指通しを設けるとともに、前記握り体の表面に少なくとも一つ以上の溝ないし凹部を設けて手指装着具を構成することとした。このため、手から容易に外れることなく、通気性及び装着性が良好で衛生的に保つことができるという効果が得られる。また、前記握り体を手の平側あるいは手の甲側のいずれにも装着可能とすることで、手の平の蒸れ防止のみならず、トレーニングや手の平の保護など、他の各種の用途に利用できるという効果がある。
【発明を実施するための最良の形態】
【０００８】
以下、本発明を実施するための最良の形態を、実施例に基づいて詳細に説明する。
【実施例１】
【０００９】
最初に、図１を参照しながら、本発明の実施例１を説明する。図１(A)は、本実施例の全体構成を示す斜視図，図１(B)は、本実施例の使用状態を示す図である。図１(C)及び(D)は、本実施例の変形例を示す図である。図１に示すように、本実施例の手指装着具１０は、略直方体の握り部１２と、該握り部１２の表面１２Ａに設けられた指通し２０により構成されている。前記握り部１２の長手方向の長さＬは、利用者３０の手の幅とほぼ同等になるように予め設定されており、幅Ｗと厚みＴは、利用者３０が該握り部１２を無理なく握ることができる寸法となるように予め設定されている。
【００１０】
また、前記指通し２０は、前記握り部１２の長手方向に沿って設けられており、中央に設けられた仕切り２２によって、２つの通し穴２４，２６が形成されている。これら通し穴２４，２６は、利用者３０の中指３２と薬指３４を通して装着するためのものである。なお、該指通し２０は、前記握り部１２の表面１２Ａの一方の長辺側に寄った位置に設けられており、これにより使用したときに握り部１２が手の平３６側に丁度おさまるようになる。指通し２０は、中指３２と薬指３４が通せる構造のものであればよく、例えば、図１(C)に示す指通し２０Ａのように、２本の指の仕切りを設けない構造のものとしてもよい。また、例えば、図１(D)に示すように、面テープ４２Ａ，４２Ｂを設けたベルト４０Ａ，４０Ｂによって指通し２０Ｂを構成し、利用者３０の手の大きさに応じて調整可能な構成としてもよい。
【００１１】
更に、前記握り部１２の表面には、前記通し穴２４，２６に対応する位置に、長手方向と略直交する方向に、２つの溝１４が略平行に形成されている。これら溝１４は、中指３２及び薬指３４を通したときの通気性を確保するためのものである。一方、握り部１２の裏面１２Ｂには、長手方向に沿って２つの溝１６が略平行になるように形成されている。これは、手指装着具１０を装着して握ったときに、通気性を保ち、手の平３６の蒸れを防止するためのものである。以上のような握り部１２や指通し２０としては、例えば、木やプラスチック，あるいは、合成ゴムなど公知の各種の材料により構成されるが、握り部１２と指通し２０は、必ずしも同じ材料を用いる必要はなく、握り部１２を木で形成し、指通し２０を金属で形成するなど、異なる材料を用いるようにしてもよい。なお、本実施例では、手の平３６の蒸れを防止するための介護用具として利用するという観点から、少なくとも握り部１２については、抗菌，殺菌，除菌などの機能を備えた材料を利用するようにすると、更に衛生的に保つことができ好都合である。
【００１２】
次に、本実施例の作用を説明する。利用者３０は、手の平３６が握り部１２側に向くようにして、指通し２０の通し穴２４，２６に中指３２と薬指３４を通す。すると、指通し２０が握り部１２の中心から一方の長辺側へ寄った位置に設けられているため、図１(B)に示すように、握り部１２全体が、手の平３６寄りに装着される。この状態では、無理なく握り部１２を握ることができるとともに、溝１４及び１６が設けられているため、長時間握り続けていても疲労を感じたり手の平３６が蒸れたりすることがない。また、長期間利用して汚れた場合には、全体を洗うようにすれば常に衛生的に保つことができる。
【００１３】
このように、実施例１によれば、次のような効果がある。
(1)手の幅とほぼ同等の長さの握り部１２の表面１２Ａに、中指３２と薬指３４を通す通し穴２４，２６を備えた指通し２０を設けるとともに、前記握り体１２の表面１２Ａ及び裏面１２Ｂに通気用の溝１４，１６を設けることとしたので、手から容易に外れることなく、手の蒸れを防止して臭気の発生を抑制し、衛生的に保つことができる。
(2)前記指通し２０を、握り部１２の表面１２Ａの長辺の一方寄りに設けることとしたので、装着時に手の平３６に無理なく納め、長時間でも快適に使用することができる。
(3)ガーゼや布などを設ける必要がないため、利用者３０または該利用者３０の介護者の負担を軽減することができる。
【００１４】
なお、本発明は、上述した実施例に限定されるものではなく、本発明の要旨を逸脱しない範囲内において種々変更を加え得ることができる。例えば、以下のものも含まれる。
(1)前記実施例１で示した形状，大きさは一例であり、同様の効果を奏するように適宜変更してよい。材質についても同様に、必要に応じて適宜変更可能である。例えば、図２(A)に示す手指装着具１０では、握り部１２をゴムで形成することにより、利用者３０の手の大きさに応じて端を削り、大きさの調節を可能にした例である。また、前記実施例１では、握り部１２として抗菌，殺菌，除菌などの機能を有するものの利用を例示したが、このほかにも、防臭，防腐機能や芳香を発するような材料を利用するなど、必要に応じて適宜変更可能である。
【００１５】
(2)前記実施例１で示した指通し２０，２０Ａ，２０Ｂも一例であり、同様の効果を奏するように適宜設計変更可能である。もちろん、図１(C)及び（D）に示す指通し２０Ａ，２０Ｂを、前記図２(A)に示す例と組み合わせて利用するようにしてもよい。
【００１６】
(3)前記実施例では、手の平３６の蒸れを防止するための介護用具として本発明の手指装着具を利用することとしたが、本発明は、他の各種の用途に適用可能である。例えば、図２(B)に示すように、手指装着具１０を装着した状態で荷物４８を持つことにより、持ち手部分が手に直接くい込むことがないため、荷物４８が重い場合や長時間持つ必要がある場合でも、手にかかる負担を軽減することができる。また、例えば、図２(C)に示すように、握り部１２が手の甲３８側になるように手指装着具１０を装着することにより、空手の練習などに利用することができる。
【００１７】
また、図２(D)に示す手指装着具５０のように、握り部５２を弾性材料で形成することにより、握力を鍛えるためのトレーニング具やリハビリ用具として利用するようにしてもよい。もちろん、該手指装着具５０を利用し、ランニングの時に握力を鍛える動作を同時に行うようにするなど、他の運動と併用するようにしてもよい。更に、弾性材料で形成した握り部５２に、握った回数を計数するためのカウンタ５４を内蔵し、表示部５６で回数を確認できるようにしてもよい。あるいは、本発明の手指装着具１０や５０を単独で利用せずに、例えば、ラケットや竹刀，ゴルフのクラブなどのグリップのように利用してもよい。
【産業上の利用可能性】
【００１８】
本発明によれば、手の幅とほぼ同等の長さの握り体の表面に、長手方向に沿って中指を含む複数の手指を通すための指通しを設けるとともに、前記握り体の表面に少なくとも一つ以上溝ないし凹部を設けるようにしたので、手指装着具の用途に適用可能である。特に、手から容易に外れることなく、通気性が良好で衛生的に保つことができるとともに、装着感にも優れていることから、手の平の蒸れを防止するための介護用具や各種物品のグリップ部分としての用途に好適である。
【図面の簡単な説明】
【００１９】
【図１】本発明の実施例１を示す図であり、(A)は全体構成を示す斜視図，(B)は使用状態を示す図，(C)及び(D)は本実施例の変形例を示す図である。
【図２】本発明の他の実施例を示す図である。
【符号の説明】
【００２０】
１０：手指装着具
１２：握り部
１２Ａ：表面
１２Ｂ：裏面
１４，１６：溝
２０，２０Ａ，２０Ｂ：指通し
２２：仕切り
２４，２６：通し穴
３０：利用者
３２：中指
３４：薬指
３６：手の平
３８：手の甲
４０Ａ，４０Ｂ：ベルト
４２Ａ，４２Ｂ：面テープ
４８：荷物
５０：手指装着具
５２：握り部
５４：カウンタ
５６：表示部
【図１】
2006006520.tif 000003
【図２】
2006006520.tif 000004